(57)【特許請求の範囲】
【請求項１】
（１）  第１〜第３スピーカと、
（２）  Ａ．第１スピーカの音響出力レベルを最大レベルから零の範囲で連続的に増減させる第１操作域と、Ｂ．第１スピーカの音響出力レベルを零から最大レベルの範囲で連続的に増減させる第２操作域を有する第１音響出力レベル操作手段と、
（３）  Ａ．第２スピーカを第１スピーカに逆位相で接続した状態で、第２スピーカの音響出力レベルを最大レベルから零の範囲で連続的に増減させる第１操作域と、Ｂ．第２スピーカを第１スピーカに同位相で接続した状態で、第２スピーカの音響出力レベルを零から最大レベルの範囲で連続的に増減させる第２操作域を有する第２音響出力レベル操作手段と、
（４）  Ａ．第３スピーカを第１スピーカに同位相で接続した状態で、第３スピーカの音響出力レベルを零から最大レベルの範囲で連続的に増減させる第１操作域と、Ｂ．第３スピーカを第１スピーカに同位相で接続した状態で、第３スピーカの音響出力レベルを最大レベルから零の範囲で連続的に増減させる第２操作域を有する第３音響出力レベル操作手段
を有し、
一つのキャビネットに取り付けられる第１〜第３スピーカがリスナー位置の側方に配設され、
第１スピーカの放射軸がリスナー位置よりも前方を指向し、
第２スピーカの放射軸がリスナー位置よりも後方を指向し、
第３スピーカの放射軸がリスナー位置を指向し、
第１〜第３音響出力レベル操作手段が第１・第２操作域でそれぞれ連動し、
第１操作域で、Ａ．第１スピーカの音響出力レベルが最大レベルの時に、第２スピーカの音響出力レベルが最大レベルとなると共に、第３スピーカの音響出力レベルが零となり、しかも、Ｂ．第１スピーカの音響出力レベルが零の時に、第２スピーカの音響出力レベルが零となると共に、第３スピーカの音響出力レベルが最大出力レベルとなり、
第２操作域で、Ａ．第１スピーカの音響出力レベルが零の時に、第２スピーカの音響出力レベルが零となると共に、第３スピーカの音響出力レベルが最大レベルとなり、しかも、Ｂ．第１スピーカの音響出力レベルが最大レベルの時に、第２スピーカの音響出力レベルが最大レベルとなると共に、第３スピーカの音響出力レベルが零となるサラウンドスピーカシステム。
【請求項２】
Ａ．抵抗体と、抵抗体上を摺動する摺動子と、抵抗体の摺動方向に関する中央部に接続された中間タップを有し、抵抗体の各端部が音響信号入力用第１入力端子に接続され、中間タップが音響信号入力用第２入力端子に接続された第１可変抵抗器と、
Ｂ．被摺動体と、被摺動体上を摺動する摺動子を有し、被摺動体の摺動方向に関する一方の半分が抵抗体により構成され、他方の半分が導体により構成され、抵抗体における、導体側とは反対側の端部が音響信号入力用第１入力端子に接続され、導体における、抵抗体側とは反対側の端部が音響信号入力用第２入力端子に接続された第２Ａ・第２Ｂ可変抵抗器と、
Ｃ．抵抗体と、抵抗体上を摺動する摺動子と、抵抗体の摺動方向に関する中央部に接続された中間タップを有し、抵抗体の各端部が音響信号入力用第２入力端子に接続され、中間タップが音響信号入力用第１入力端子に接続された第３可変抵抗器と、
Ｄ．第１入力端子が第１可変抵抗器の摺動子に接続され、第２入力端子が音響信号入力用第２入力端子に接続された第１スピーカと、
Ｅ．第１・第２入力端子が、それぞれ、第２Ａ・第２Ｂ可変抵抗器の摺動子に接続された第２スピーカと、
Ｆ．第１入力端子が第３可変抵抗器の摺動子に接続され、第２入力端子が音響信号入力用第２入力端子に接続された第３スピーカ
を有し、
第１・第３可変抵抗器の抵抗体の摺動方向に関する長さと、第２Ａ・第２Ｂ可変抵抗器の被摺動体の摺動方向に関する長さが同一とされ、
第１・第３可変抵抗器の抵抗体における、中間タップで分けられる各半分の摺動方向に関する抵抗値特性と、第２Ａ・第２Ｂ可変抵抗器の抵抗体の摺動方向に関する抵抗値特性が略同一とされ、
第１・第２Ａ・第２Ｂ・第３可変抵抗器が連動すると共に、第２Ａ・第２Ｂ可変抵抗器の一方の摺動子が抵抗体上を摺動する際に、他方の摺動子が導体上を摺動し、
第１可変抵抗器の摺動子が抵抗体の摺動方向に関する中央部に位置した際に、第２Ａ・第２Ｂ可変抵抗器の摺動子が被摺動体の摺動方向に関する中央部に位置すると共に、第３可変抵抗器の摺動子が抵抗体の摺動方向に関する中央部に位置し、
第１可変抵抗器の摺動子が抵抗体の一端部に位置した際に、第２Ａ可変抵抗器の摺動子が被摺動体における第１入力端子側の端部に位置して、第２Ｂ可変抵抗器の摺動子が被摺動体における第２入力端子側の端部に位置すると共に、第３可変抵抗器の摺動子が抵抗体の一端部に位置し、
第１可変抵抗器の摺動子が抵抗体の他端部に位置した際に、第２Ａ可変抵抗器の摺動子が被摺動体における第２入力端子側の端部に位置して、第２Ｂ可変抵抗器の摺動子が被摺動体における第１入力端子側の端部に位置すると共に、第３可変抵抗器の摺動子が抵抗体の他端部に位置し、
一つのキャビネットに取り付けられる第１〜第３スピーカがリスナー位置の側方に配設され、
第１スピーカの放射軸がリスナー位置よりも前方を指向し、
第２スピーカの放射軸がリスナー位置よりも後方を指向し、
第３スピーカの放射軸がリスナー位置を指向することを特徴とするサラウンドスピーカシステム。
【発明の詳細な説明】
【０００１】
【発明の属する技術分野】
本発明は、Ａ／Ｖ（オーディオ／ビジュアル）システム等に使用されるサラウンドスピーカシステムに関する。
【０００２】
【従来の技術】
上記サラウンドスピーカシステムには、▲１▼  図１５及び図１６に示すように、スピーカ２０が単一とされ、リスナー（リスナー位置）２３の側方に配設されて、その放射軸２４がリスナー２３を指向するダイレクト方式（直接放射方式（型））と、▲２▼  リスナー２３の側方に配設される２個のスピーカ２１，２２を使用して、これら放射軸２５，２６をリスナー２３に指向させず、一方のスピーカ２１の放射軸２５をリスナー２３よりも前方に指向させ、他方のスピーカ２２の放射軸２６をリスナー２３よりも後方に指向させる拡散方式（型）がある。
又、拡散方式には、▲１▼  図１７及び図１８に示すように、２個のスピーカ２１，２２が同位相（同相）に接続されたバイポール方式（型）と、▲２▼  図１９及び図２０に示すように、２個のスピーカ２１，２２が逆位相（逆相）に接続されたダイポール方式（型）がある。
【０００３】
ところで、スピーカ２０〜２２から放射（出力）される低音には、指向性があまりないため、ダイレクト方式では、図１５に示すように、スピーカ２０からの低音の放射パターン（音圧指向特性）は略半円状に形成される。
又、バイポール方式でも、２個のスピーカ２１，２２が同位相に接続されているため、図１７に示すように、両スピーカ２１，２２間では、これらから放射された低音同士が打ち消し合わずに、合体し、これにより、両スピーカ２１，２２からの低音の放射パターンは、単一の略半円状に形成される。
更に、ダイポール方式では、２個のスピーカ２１，２２が逆位相に接続されているため、図１９に示すように、両スピーカ２１，２２間では、これらから放射された低音同士が打ち消し合って、リスナー方向には低音が放射されず、各スピーカ２１，２２からの低音の放射パターンは、それぞれ、小さな半径の略半円状に形成される。
【０００４】
これに対し、スピーカ２０〜２２から放射される高音（中高音）は指向性が強いため、直接放射方式では、図１６に示すように、スピーカ２０からの高音の放射パターンは、「リスナー２３を指向する」放射軸２４を中心とした狭い範囲に形成される。
又、バイポール方式でも、図１８に示すように、２個のスピーカ２１，２２からの高音の放射パターンは、「リスナー２３よりも前方又は後方を指向する」各放射軸２５，２６を中心とした狭い範囲に形成されると共に、２個のスピーカ２１，２２が同位相に接続されているため、両スピーカ２１，２２間では、これらから放射された高音同士が打ち消し合うことがなく、両スピーカ２１，２２間には、リスナー２３を指向する小さな放射パターンも形成される。
更に、ダイポール方式でも、図２０に示すように、バイポール方式と同様に、２個のスピーカ２１，２２からの高音の放射パターンは、「リスナー２３よりも前方又は後方を指向する」各放射軸２５，２６を中心とした狭い範囲に形成される。しかし、ダイポール方式では、２個のスピーカ２１，２２が逆位相に接続されているため、両スピーカ２１，２２間では、これらから放射された高音同士が打ち消し合い、両スピーカ２１，２２間には、リスナー２３を指向する放射パターンは形成されない。
【０００５】
上記各方式は、低音と高音に関して、上記のような放射パターンを有しているため、一長一短の特徴を有する。例えば、直接放射方式では、「音像の定位要素である指向性が強い」高音の放射パターンがリスナー２３を指向しているのみならず、指向性があまりない低音の放射パターンもスピーカ２０を中心とする略半円状に形成されている（換言すれば、両スピーカ２１，２２から放射される低音や高音（再生音）における、リスナー２３への直接音成分が非常に大きい）。
そのため、直接放射方式は、再生音が環境音等であるモノラル再生時には、音像がリスナー２３の頭中に定位して、不自然であるとの問題がある。しかし、サラウンドステレオ再生時等において、音像をスピーカ位置等に定位させたい場合には、非常に有効である。又、スピーカ２０から放射される低音や高音における、リスナー２３への直接音成分が非常に大きいため、低音や高音の不足を感じることもない。
【０００６】
これに対し、ダイポール方式では、高音の放射パターンがリスナー２３を指向していないのみならず、低音の放射パターンも各スピーカ２１，２２を中心とする小さな略半円状に形成されている（換言すれば、両スピーカ２１，２２から放射される低音や高音における、リスナー２３への直接音成分が非常に小さく、リスナー２３を指向しない拡散音成分（間接音成分）が非常に大きい）ため、音像が定位しにくい。
従って、ダイポール方式は、サラウンドステレオ再生時等のように、音像をスピーカ位置等に定位させたい場合には、不適当である。しかし、再生音が環境音等であるモノラル再生時には、音像がリスナー２３の頭中に定位することを防止できて、好ましい。
【０００７】
これに対し、バイポール方式では、低音の放射パターンが両スピーカ２１，２２を中心とする略半円状に形成される。又、２個のスピーカ２１，２２からの高音の放射パターンは、「リスナー２３よりも前方又は後方を指向する」各放射軸２５，２６を中心とした狭い範囲に形成されると共に、両スピーカ２１，２２間には、リスナー２３を指向する小さな高音の放射パターンも形成される（換言すれば、両スピーカ２１，２２から放射される低音や高音には、リスナー２３への直接音成分のみならず、拡散音成分のどちらも含まれる）。
従って、バイポール方式は、直接放射方式とダイポール方式の中間方式であると言えると共に、低音の放射パターンが両スピーカ２１，２２を中心とする略半円状に形成されるため、低音の不足を感じることもない。
【０００８】
【発明が解決しようとする課題】
ところで、最近において、音響ソースの種類や特性、リスナーの好み、オーディオ再生を行う部屋の特性、スピーカのレイアウト等に応じて、ダイレクト方式、ダイポール方式、バイポール方式等が選択可能なサラウンドスピーカシステムの実現が要望されている。
【０００９】
本発明は上記問題を解決できるサラウンドスピーカシステムを提供することを目的とする。
【００１０】
【課題を解決するための手段】
上記目的を達成するために、本発明の特徴とするところは、（１）  第１〜第３スピーカと、（２）  Ａ．第１スピーカの音響出力レベルを最大レベルから零の範囲で連続的に増減させる第１操作域と、Ｂ．第１スピーカの音響出力レベルを零から最大レベルの範囲で連続的に増減させる第２操作域を有する第１音響出力レベル操作手段と、（３）  Ａ．第２スピーカを第１スピーカに逆位相で接続した状態で、第２スピーカの音響出力レベルを最大レベルから零の範囲で連続的に増減させる第１操作域と、Ｂ．第２スピーカを第１スピーカに同位相で接続した状態で、第２スピーカの音響出力レベルを零から最大レベルの範囲で連続的に増減させる第２操作域を有する第２音響出力レベル操作手段と、（４）  Ａ．第３スピーカを第１スピーカに同位相で接続した状態で、第３スピーカの音響出力レベルを零から最大レベルの範囲で連続的に増減させる第１操作域と、Ｂ．第３スピーカを第１スピーカに同位相で接続した状態で、第３スピーカの音響出力レベルを最大レベルから零の範囲で連続的に増減させる第２操作域を有する第３音響出力レベル操作手段を有し、一つのキャビネットに取り付けられる第１〜第３スピーカがリスナー位置の側方に配設されると共に、第１スピーカの放射軸がリスナー位置よりも前方を指向し、第２スピーカの放射軸がリスナー位置よりも後方を指向し、第３スピーカの放射軸がリスナー位置を指向し、第１〜第３音響出力レベル操作手段が第１・第２操作域でそれぞれ連動し、第１操作域で、Ａ．第１スピーカの音響出力レベルが最大レベルの時に、第２スピーカの音響出力レベルが最大レベルとなると共に、第３スピーカの音響出力レベルが零となり、しかも、Ｂ．第１スピーカの音響出力レベルが零の時に、第２スピーカの音響出力レベルが零となると共に、第３スピーカの音響出力レベルが最大出力レベルとなり、第２操作域で、Ａ．第１スピーカの音響出力レベルが零の時に、第２スピーカの音響出力レベルが零となると共に、第３スピーカの音響出力レベルが最大レベルとなり、しかも、Ｂ．第１スピーカの音響出力レベルが最大レベルの時に、第２スピーカの音響出力レベルが最大レベルとなると共に、第３スピーカの音響出力レベルが零となることもある。
又、Ａ．抵抗体と、抵抗体上を摺動する摺動子と、抵抗体の摺動方向に関する中央部に接続された中間タップを有し、抵抗体の各端部が音響信号入力用第１入力端子に接続され、中間タップが音響信号入力用第２入力端子に接続された第１可変抵抗器と、Ｂ．被摺動体と、被摺動体上を摺動する摺動子を有し、被摺動体の摺動方向に関する一方の半分が抵抗体により構成され、他方の半分が導体により構成され、抵抗体における、導体側とは反対側の端部が音響信号入力用第１入力端子に接続され、導体における、抵抗体側とは反対側の端部が音響信号入力用第２入力端子に接続された第２Ａ・第２Ｂ可変抵抗器と、Ｃ．抵抗体と、抵抗体上を摺動する摺動子と、抵抗体の摺動方向に関する中央部に接続された中間タップを有し、抵抗体の各端部が音響信号入力用第２入力端子に接続され、中間タップが音響信号入力用第１入力端子に接続された第３可変抵抗器と、Ｄ．第１入力端子が第１可変抵抗器の摺動子に接続され、第２入力端子が音響信号入力用第２入力端子に接続された第１スピーカと、Ｅ．第１・第２入力端子が、それぞれ、第２Ａ・第２Ｂ可変抵抗器の摺動子に接続された第２スピーカと、Ｆ．第１入力端子が第３可変抵抗器の摺動子に接続され、第２入力端子が音響信号入力用第２入力端子に接続された第３スピーカを有し、第１・第３可変抵抗器の抵抗体の摺動方向に関する長さと、第２Ａ・第２Ｂ可変抵抗器の被摺動体の摺動方向に関する長さが同一とされ、第１・第３可変抵抗器の抵抗体における、中間タップで分けられる各半分の摺動方向に関する抵抗値特性と、第２Ａ・第２Ｂ可変抵抗器の抵抗体の摺動方向に関する抵抗値特性が略同一とされ、第１・第２Ａ・第２Ｂ・第３可変抵抗器が連動すると共に、第２Ａ・第２Ｂ可変抵抗器の一方の摺動子が抵抗体上を摺動する際に、他方の摺動子が導体上を摺動し、第１可変抵抗器の摺動子が抵抗体の摺動方向に関する中央部に位置した際に、第２Ａ・第２Ｂ可変抵抗器の摺動子が被摺動体の摺動方向に関する中央部に位置すると共に、第３可変抵抗器の摺動子が抵抗体の摺動方向に関する中央部に位置し、第１可変抵抗器の摺動子が抵抗体の一端部に位置した際に、第２Ａ可変抵抗器の摺動子が被摺動体における第１入力端子側の端部に位置して、第２Ｂ可変抵抗器の摺動子が被摺動体における第２入力端子側の端部に位置すると共に、第３可変抵抗器の摺動子が抵抗体の一端部に位置し、第１可変抵抗器の摺動子が抵抗体の他端部に位置した際に、第２Ａ可変抵抗器の摺動子が被摺動体における第２入力端子側の端部に位置して、第２Ｂ可変抵抗器の摺動子が被摺動体における第１入力端子側の端部に位置すると共に、第３可変抵抗器の摺動子が抵抗体の他端部に位置し、一つのキャビネットに取り付けられる第１〜第３スピーカがリスナー位置の側方に配設されると共に、第１スピーカの放射軸がリスナー位置よりも前方を指向し、第２スピーカの放射軸がリスナー位置よりも後方を指向し、第３スピーカの放射軸がリスナー位置を指向することもある。
【００１１】
【発明の実施の形態】
以下、本発明の実施の形態の一例を図１〜図１４の図面に基づき説明すると、図１はサラウンドスピーカシステムを示し、該システムは、第１・第２Ａ・第２Ｂ・第３可変抵抗器ＶＲ１，ＶＲ２Ａ，ＶＲ２Ｂ，ＶＲ３と、第１〜第３スピーカＳＰ１〜ＳＰ３等から構成されている。尚、図１において、１は音響信号入力用の＋側入力端子（第１入力端子）、２は音響信号入力用の−側入力端子（第２入力端子）である。
【００１２】
第１・第２Ａ・第２Ｂ・第３可変抵抗器は、サラウンドスピーカシステムを、ダイレクト方式（直接放射方式）、ダイポール方式、バイポール方式、ダイレクト方式とダイポール方式の中間方式、ダイレクト方式とバイポール方式の中間方式の何れかの方式に切り換えるもので、図１では、各可変抵抗器ＶＲ１，ＶＲ２Ａ，ＶＲ２Ｂ，ＶＲ３を、簡略化して、直線状にしている。
しかし、具体的には、図２に示すように、これら第１・第３可変抵抗器ＶＲ１，ＶＲ３（図２の（Ｂ）参照）、第２Ａ可変抵抗器ＶＲ２Ａ（図２の（Ｃ）参照）及び第２Ｂ可変抵抗器ＶＲ２Ｂ（図２の（Ｄ）参照）は、それぞれ、円形の回動タイプに構成されて、その操作ツマミ３（図２の（Ａ）参照）と共に、上下又は前後方向等に積層されて、パネル等に備えられている。
【００１３】
第１・第３可変抵抗器ＶＲ１，ＶＲ３は、第１・第３スピーカＳＰ１，ＳＰ３の音響出力レベル操作手段を構成するもので、抵抗体Ｒ１，Ｒ３と、抵抗体Ｒ１，Ｒ３上を摺動する摺動子Ｓ１，Ｓ３と、抵抗体Ｒ１，Ｒ３の摺動方向に関する中央部に接続された中間タップＭ１，Ｍ３を有する。第１可変抵抗器ＶＲ１の抵抗体Ｒ１の左右各端部の接続端子Ｒ１T1，Ｒ１T2及び第３可変抵抗器ＶＲ３の中間タップＭ３の接続端子Ｍ３T は、音響信号入力用の＋側入力端子１に接続され、第１可変抵抗器ＶＲ１の中間タップＭ１の接続端子Ｍ１T 及び第３可変抵抗器ＶＲ３の抵抗体Ｒ３の各端部の接続端子Ｒ３T1，Ｒ３T2は音響信号入力用の−側入力端子２に接続されている。
【００１４】
第２Ａ・第２Ｂ可変抵抗器ＶＲ２Ａ，ＶＲ２Ｂは、第２スピーカＳＰ２の音響出力レベル操作手段を構成するもので、被摺動体Ｈ２Ａ，Ｈ２Ｂと、被摺動体Ｈ２Ａ，Ｈ２Ｂ上を摺動する摺動子Ｓ２Ａ，Ｓ２Ｂを有し、被摺動体Ｈ２Ａ，Ｈ２Ｂの摺動方向に関する一方の半分が抵抗体Ｒ２Ａ，Ｒ２Ｂにより構成され、他方の半分が導体Ｄ２Ａ，Ｄ２Ｂにより構成されているが、導体Ｄ２Ａ，Ｄ２Ｂの抵抗値は抵抗体Ｒ２Ａ，Ｒ２Ｂに比較して極めて小とされて、（殆ど）無視できる値とされている。尚、第２Ａ可変抵抗器ＶＲ２Ａでは、図２の（Ｃ）に示すように、被摺動体Ｈ２Ａの左側半分が導体Ｄ２Ａにより、右側半分が抵抗体Ｒ２Ａにより、それぞれ、構成されているが、第２Ｂ可変抵抗器ＶＲ２Ｂでは、図２の（Ｄ）に示すように、上記とは逆に、被摺動体Ｈ２Ａの左側半分が抵抗体Ｒ２Ｂにより、右側半分が導体Ｄ２Ｂにより、それぞれ、構成されている。
【００１５】
そして、第２Ａ可変抵抗器ＶＲ２Ａの抵抗体Ｒ２Ａの右端部及び第２Ｂ可変抵抗器ＶＲ２Ｂの抵抗体Ｒ２Ｂの左端部（即ち、抵抗体Ｒ１における、導体Ｄ２Ａ側とは反対側の端部）の各接続端子Ｒ２ＡT ，Ｒ２ＢT が音響信号入力用の＋側入力端子１に接続されている。又、第２Ａ可変抵抗器ＶＲ２Ａの導体Ｄ２Ａの左端部及び第２Ｂ可変抵抗器ＶＲ２Ｂの導体Ｄ２Ｂの右端部（即ち、導体Ｄ２Ａにおける、抵抗体Ｒ１側とは反対側の端部）の各接続端子Ｄ２ＡT ，Ｄ２ＢT が音響信号入力用の−側入力端子２に接続されている。
【００１６】
又、第１・第３可変抵抗器ＶＲ１，ＶＲ３の抵抗体Ｒ１，Ｒ３の摺動方向に関する長さと、第２Ａ・第２Ｂ可変抵抗器ＶＲ２Ａ，ＶＲ２Ｂの被摺動体Ｈ２Ａ，Ｈ２Ｂの摺動方向に関する長さが同一とされて、第１・第３可変抵抗器ＶＲ１，ＶＲ３の抵抗体Ｒ１，Ｒ３と、第２Ａ・第２Ｂ可変抵抗器ＶＲ２Ａ，ＶＲ２Ｂの被摺動体Ｈ２Ａ，Ｈ２Ｂは、周方向に関して、同一位置に配設されている。又、第１・第３可変抵抗器ＶＲ１，ＶＲ３の抵抗体Ｒ１，Ｒ３における、中間タップＭ１，Ｍ３で分けられた各半分の摺動方向に関する抵抗値特性と、第２Ａ・第２Ｂ可変抵抗器ＶＲ２Ａ，ＶＲ２Ｂの抵抗体Ｒ１，Ｒ３の摺動方向に関する抵抗値特性が（略）同一とされている。
【００１７】
各可変抵抗器ＶＲ１，ＶＲ２Ａ，ＶＲ２Ｂ，ＶＲ３を操作する操作ツマミ３は、パネル等の前方又は上方に位置するツマミ部３Ａと、ツマミ部３Ａに一体に備えられた軸部３Ｂを有し、該軸部３Ｂが、各可変抵抗器ＶＲ１，ＶＲ２Ａ，ＶＲ２Ｂ，ＶＲ３の摺動子Ｓ１，Ｓ２Ａ，Ｓ２Ｂ，Ｓ３に挿通固着されることで、操作ツマミ３及び各摺動子Ｓ１，Ｓ２Ａ，Ｓ２Ｂ，Ｓ３が一体化されて、連動している。
【００１８】
これにより、操作ツマミ３及び各可変抵抗器ＶＲ１，ＶＲ２Ａ，ＶＲ２Ｂ，ＶＲ３は、図２において、
（１）  ▲１▼  ツマミ３が回動域の左端部に位置し、▲２▼  第１・第３可変抵抗器ＶＲ１，ＶＲ３の摺動子Ｓ１，Ｓ３が抵抗体Ｒ１，Ｒ３の左端部に位置し、▲３▼  第２Ａ・第２Ｂ可変抵抗器ＶＲ２Ａ，ＶＲ２Ｂの摺動子Ｓ２Ａ，Ｓ２Ｂが導体Ｄ２Ａ、又は、抵抗体Ｒ２Ｂの左端部に位置するダイポール体勢と、
（２）  ▲１▼  ツマミ３が回動域の中央部に位置し、▲２▼  第１・第３可変抵抗器ＶＲ１，ＶＲ３の摺動子Ｓ１，Ｓ３が抵抗体Ｒ１，Ｒ３の摺動方向に関する中央部に位置し、▲３▼  第２Ａ・第２Ｂ可変抵抗器ＶＲ２Ａ，ＶＲ２Ｂの摺動子Ｓ２Ａ，Ｓ２Ｂが、被摺動体Ｈ２Ａ，Ｈ２Ｂの摺動方向に関する中央部、即ち、導体Ｄ２Ａ，Ｄ２Ｂと抵抗体Ｒ２Ａ，Ｒ２Ｂの接続部分上に位置するダイレクト体勢（直接放射体勢）と、
（３）  ▲１▼  ツマミ３が回動域の右端部に位置し、▲２▼  第１・第３可変抵抗器ＶＲ１，ＶＲ３の摺動子Ｓ１，Ｓ３が抵抗体Ｒ１，Ｒ３の右端部に位置し、▲３▼  第２Ａ・第２Ｂ可変抵抗器ＶＲ２Ａ，ＶＲ２Ｂの摺動子Ｓ２Ａ，Ｓ２Ｂが抵抗体Ｒ２Ａ、又は、導体Ｄ２Ｂの右端部に位置するバイポール体勢と、
隣接する体勢の中間体勢に切り換え可能とされている。尚、各可変抵抗器ＶＲ１，ＶＲ２Ａ，ＶＲ２Ｂ，ＶＲ３のダイポール体勢とダイレクト体勢間が、連動する第１操作域とされ、ダイレクト体勢とバイポール体勢間が、連動する第２操作域とされている。又、第１・第３可変抵抗器ＶＲ３の抵抗体Ｒ１，Ｒ３及び第２Ａ・第２Ｂ可変抵抗器ＶＲ２Ａ，ＶＲ２Ｂの被摺動体Ｈ２Ａ，Ｈ２Ｂにおける、図２の左端部が、図１の下端部となる。
【００１９】
第１〜第３スピーカＳＰ１〜ＳＰ３は、図３〜図１３に示すように、リスナー（リスナー位置）４の側方に配設されて、一つのキャビネットに取り付けられている。又、第１スピーカＳＰ１の放射軸５がリスナー４よりも前方（側）（図例では、リスナーの斜め前方（側））を指向し、第２スピーカＳＰ２の放射軸６がリスナー４よりも後方（側）（図例では、リスナー４の斜め後方（側））を指向し、第３スピーカＳＰ３の放射軸７がリスナー４を指向している。
第１〜第３スピーカＳＰ１〜ＳＰ３は、それぞれ、＋側入力端子（第１入力端子）と−側入力端子（第２入力端子）を有し、第１スピーカＳＰ１の＋側入力端子は第１可変抵抗器ＶＲ１の摺動子Ｓ１の接続端子Ｓ１T に接続され、−側入力端子は音響信号入力用の−側入力端子２に接続されている。第２スピーカの＋側・−側入力端子は、それぞれ、第２Ａ・第２Ｂ可変抵抗器ＶＲ２Ａ，ＶＲ２Ｂの摺動子Ｓ２Ａ，Ｓ２Ｂの接続端子Ｓ２ＡT ，Ｓ２ＢT に接続されている。第３スピーカＳＰ３の＋側入力端子は、第３可変抵抗器ＶＲ３の摺動子Ｓ３の接続端子Ｓ３T に接続され、−側入力端子は音響信号入力用の−側入力端子２に接続されている。
【００２０】
上記構成例では、音響ソースの種類や特性、リスナー４の好み、オーディオ再生を行う部屋の特性、スピーカのレイアウト等に応じて、ダイポール方式で、オーディオ再生を行う場合には、操作ツマミ３及び各可変抵抗器ＶＲ１，ＶＲ２Ａ，ＶＲ２Ｂ，ＶＲ３をダイポール体勢とする。
これにより、第１可変抵抗器ＶＲ１では、摺動子Ｓ１が抵抗体Ｒ１の左端部（図１では、下端部）に位置するので、第１スピーカＳＰ１の両入力端子間電圧が、音響信号入力用の両入力端子１，２間の入力信号電圧と等しくなり、第１スピーカＳＰ１からは最大レベルで音響出力される。
【００２１】
又、第２Ａ・第２Ｂ可変抵抗器ＶＲ２Ａ，ＶＲ２Ｂでは、摺動子Ｓ２Ａ，Ｓ２Ｂが導体Ｄ２Ａ、又は、抵抗体Ｒ２Ｂの左端部（図１では、下端部）に位置するので、第２スピーカＳＰ２が第１スピーカＳＰ１と逆位相に接続されると共に、第２スピーカＳＰ２の両入力端子間電圧が、音響信号入力用の両入力端子１，２間の入力信号電圧と等しくなり、第２スピーカＳＰ２からは最大レベルで音響出力される。
更に、第３可変抵抗器ＶＲ３では、摺動子Ｓ３が抵抗体Ｒ３の左端部（図１では、下端部）に位置するので、第３スピーカＳＰ３の両入力端子間電圧が零となり、第３スピーカＳＰ３からは音響出力されない。
【００２２】
上記のように、第１・第２スピーカＳＰ１，ＳＰ２が逆位相に接続されて、両スピーカＳＰ１，ＳＰ２間で、これらから放射された再生音同士が打ち消し合うが、低音については指向性があまりないことから、第１・第２スピーカＳＰ１，ＳＰ２からの低音の放射パターンは、図４に示すように、各スピーカＳＰ１，ＳＰ２の放射軸５，７を中心とする比較的広い範囲に形成される。これに対し、高音については指向性が強いことから、第１・第２スピーカＳＰ１，ＳＰ２からの高音の放射パターンは、図５に示すように、各スピーカＳＰ１，ＳＰ２の放射軸５，７を中心とする狭い範囲に形成される。
【００２３】
次に、ダイレクト方式で、オーディオ再生を行う場合には、操作ツマミ３及び各可変抵抗器ＶＲ１，ＶＲ２Ａ，ＶＲ２Ｂ，ＶＲ３をダイレクト体勢とする。
これにより、第１可変抵抗器ＶＲ１では、摺動子Ｓ１が抵抗体Ｒ１の摺動方向に関する中央部（図１では、上下方向中央部）に位置するので、第１スピーカＳＰ１の両入力端子間電圧が零となり、第１スピーカからは音響出力されない。
【００２４】
又、第２Ａ・第２Ｂ可変抵抗器ＶＲ２Ａ，ＶＲ２Ｂでは、摺動子Ｓ２Ａ，Ｓ２Ｂが被摺動体Ｈ２Ａ，Ｈ２Ｂにおける、導体Ｄ２Ａ，Ｄ２Ｂと抵抗体Ｒ２Ａ，Ｒ２Ｂの接続部分上に位置するので、第２スピーカＳＰ２の両入力端子間電圧が零となり、第２スピーカＳＰ２からは音響出力されない。
更に、第３可変抵抗器ＶＲ３では、摺動子Ｓ３が抵抗体Ｒ３の摺動方向に関する中央部（図１では、上下方向中央部）に位置するので、第３スピーカＳＰ３の両入力端子間電圧が、音響信号入力用の両入力端子１，２間の入力信号電圧と等しくなり、第３スピーカＳＰ３からは最大レベルで音響出力される。
【００２５】
この際、低音については指向性があまりないことから、第３スピーカＳＰ３からの低音の放射パターンは、図６に示すように、第３スピーカを中心とする小さな半径の略半円状に形成される。これに対し、高音については指向性が強いことから、第３スピーカＳＰ３からの高音の放射パターンは、図７に示すように、第３スピーカＳＰ３の放射軸７を中心とする比較的狭い範囲に形成される。
【００２６】
次に、バイポール方式で、オーディオ再生を行う場合には、操作ツマミ３及び各可変抵抗器ＶＲ１，ＶＲ２Ａ，ＶＲ２Ｂ，ＶＲ３をバイポール体勢とする。
これにより、第１可変抵抗器ＶＲ１では、摺動子Ｓ１が抵抗体Ｒ１の右端部（図１では、上端部）に位置するので、第１スピーカＳＰ１の両入力端子間電圧が、音響信号入力用の両入力端子１，２間の入力信号電圧と等しくなり、第１スピーカＳＰ１からは最大レベルで音響出力される。
【００２７】
又、第２Ａ・第２Ｂ可変抵抗器ＶＲ２Ａ，ＶＲ２Ｂでは、摺動子Ｓ２Ａ，Ｓ２Ｂが抵抗体Ｒ２Ａ、又は、導体Ｄ２Ｂの右端部（図１では、上端部）に位置するので、第２スピーカＳＰ２が第１スピーカＳＰ１と同位相に接続されると共に、第２スピーカＳＰ２の両入力端子間電圧が、音響信号入力用の両入力端子１，２間の入力信号電圧と等しくなり、第２スピーカＳＰ２からは最大レベルで音響出力される。
更に、第３可変抵抗器ＶＲ３では、摺動子Ｓ３が抵抗体Ｒ３の右端部（図１では、上端部）に位置するので、第３スピーカＳＰ３の両入力端子間電圧が零となり、第３スピーカＳＰ３からは音響出力されない。
【００２８】
上記のように、第１・第２スピーカＳＰ１，ＳＰ２が同位相に接続されて、両スピーカＳＰ１，ＳＰ２間で、これらから放射された再生音同士が打ち消し合わずに、合体するが、この際、低音については指向性があまりないことから、図８に示すように、第１・第２スピーカＳＰ１，ＳＰ２からの低音の放射パターンが、単一の略半円状に形成される。
これに対し、高音については指向性が強いことから、図９に示すように、第１・第２スピーカＳＰ１，ＳＰ２からの高音の放射パターンが、各スピーカＳＰ１，ＳＰ２の放射軸５，６を中心とする狭い範囲に形成されると共に、両スピーカＳＰ１，ＳＰ２間にも、高音の小さな放射パターンが形成される。
【００２９】
ところで、必要に応じて、ダイポール方式とダイレクト方式の丁度中間（勿論、丁度中間にせずとも良いが、説明の便宜上、丁度中間とした。）となる方式で、オーディオ再生を行う場合には、操作ツマミ３及び各可変抵抗器ＶＲ１，ＶＲ２Ａ，ＶＲ２Ｂ，ＶＲ３をダイポール体勢とダイレクト体勢の中間体勢とする。
これにより、第１・第３可変抵抗器ＶＲ１，ＶＲ３では、摺動子Ｓ１，Ｓ３が、抵抗体Ｒ１，Ｒ３の左端部と中間タップＭ１，Ｍ３間の中央に位置するので、第１・第３スピーカＳＰ１，ＳＰ３が同位相に接続されて、これらの両入力端子間電圧が、音響信号入力用の両入力端子１，２間の入力信号電圧の１／２となり、第１・第３スピーカＳＰ１，ＳＰ３からは中間レベルで音響出力される。
【００３０】
又、第２Ａ・第２Ｂ可変抵抗器ＶＲ２Ａ，ＶＲ２Ｂでは、摺動子Ｓ２Ａ，Ｓ２Ｂが、導体Ｄ２Ａ、又は、抵抗体Ｒ２Ｂの摺動方向に関する中央部に位置するので、第２スピーカＳＰ２が第１スピーカＳＰ１と逆位相に接続されると共に、第２スピーカＳＰ２の両入力端子間電圧が、音響信号入力用の両入力端子１，２間の入力信号電圧の１／２となり、第２スピーカＳＰ２からは中間レベルで音響出力される。
【００３１】
上記のように、第１・第３スピーカＳＰ１，ＳＰ３が同位相に接続されているので、第１・第３スピーカＳＰ１，ＳＰ３間では、両スピーカＳＰ１，ＳＰ３から放射された再生音同士は打ち消し合わずに、合体する。しかし、第２・第３スピーカＳＰ２，ＳＰ３は逆位相に接続されているので、第２・第３スピーカＳＰ２，ＳＰ３間では、両スピーカＳＰ２，ＳＰ３から放射された再生音同士が打ち消し合うことになる。
【００３２】
そして、低音については指向性があまりないことから、図１０に示すように、第１・第３スピーカＳＰ１，ＳＰ３からの低音の放射パターンは、両スピーカＳＰ１，ＳＰ３を中心とする比較的広い範囲に形成され、第２スピーカＳＰ２からの低音の放射パターンも、該スピーカＳＰ２の放射軸６を中心とする比較的広い範囲に形成される。これに対し、高音については指向性が強いことから、図１１に示すように、第１・第３スピーカＳＰ１，ＳＰ３からの高音の放射パターンや、第２スピーカＳＰ２からの高音の放射パターンは、上記低音の放射パターンよりも指向性の強いパターンに形成される。
【００３３】
又、必要に応じて、ダイレクト方式とバイポール方式との丁度中間（勿論、上記同様に、丁度中間にせずとも良い。）となる中間方式で、オーディオ再生を行う場合には、操作ツマミ３及び各可変抵抗器ＶＲ１，ＶＲ２Ａ，ＶＲ２Ｂ，ＶＲ３をダイレクト体勢とバイポール体勢の中間体勢とする。
これにより、第１・第３可変抵抗器ＶＲ１，ＶＲ３では、摺動子Ｓ１，Ｓ３が、抵抗体Ｒ１，Ｒ３の右端部と中間タップＭ１，Ｍ３の中央に位置するので、第１・第３スピーカＳＰ１，ＳＰ３が同位相に接続されて、これらの両入力端子間電圧が、音響信号入力用の両入力端子１，２間の入力信号電圧の１／２となり、第１・第３スピーカＳＰ１，ＳＰ３からは中間レベルで音響出力される。
【００３４】
又、第２Ａ・第２Ｂ可変抵抗器ＶＲ２Ａ，ＶＲ２Ｂでは、摺動子Ｓ２Ａ，Ｓ２Ｂが、抵抗体Ｒ２Ａ、又は、導体Ｄ２Ｂの摺動方向に関する中央部に位置するので、第２スピーカＳＰ２が第１・第３スピーカＳＰ１，ＳＰ３と同位相に接続されると共に、第２スピーカＳＰ２の両入力端子間電圧が、音響信号入力用の両入力端子１，２間の入力信号電圧の１／２となり、第２スピーカＳＰ２からは中間レベルで音響出力される。
【００３５】
上記のように、第１〜第３スピーカＳＰ１〜ＳＰ３が同位相に接続されているので、第１・第３スピーカＳＰ１，ＳＰ３間では、両スピーカＳＰ１，ＳＰ３から放射された再生音同士が打ち消し合わずに、合体し、又、第２・第３スピーカＳＰ２，ＳＰ３間でも、両スピーカＳＰ２，ＳＰ３から放射された再生音同士が打ち消し合わずに、合体する。
そして、低音については指向性があまりないことから、図１２に示すように、第１〜第３スピーカＳＰ１〜ＳＰ３からの低音の放射パターンは、これらスピーカＳＰ１〜ＳＰ３を中心とする半径の大きな単一の略半円形に形成される。これに対し、高音については指向性が強いことから、図１３に示すように、比較的大きな放射パターンが、第１〜第３スピーカＳＰ１〜ＳＰ３の放射軸５〜７を中心とする範囲に形成されると共に、小さな放射パターンが、第１・第３スピーカＳＰ１，ＳＰ３間と第２・第３スピーカＳＰ２，ＳＰ３間にも形成される。
【００３６】
ところで、上記各方式における、第１〜第３スピーカＳＰ１〜ＳＰ３の音響出力レベルは、それぞれ、図１４に示すようになる。尚、図１４において、各スピーカＳＰ１〜ＳＰ３の最大音響出力レベルを１とし、第２スピーカＳＰ２が第１スピーカＳＰ１に逆位相で接続された場合の第２スピーカＳＰ２の最大音響出力レベルを−１としている。図１４に示すように、ダイポール（体勢）とダイレクト（体勢）間（第１操作域）では、第１スピーカＳＰ１の音響出力レベルが１から０の範囲で、第２スピーカＳＰ２の音響出力レベルが−１から０の範囲で、又、第３スピーカＳＰ３の音響出力レベルが０から１の範囲で、それぞれ、連続的に変化する。又、ダイレクト（体勢）とバイポール（体勢）間（第２操作域）では、第１スピーカＳＰ１の音響出力レベルが０から１の範囲で、第２スピーカＳＰ２の音響出力レベルが０から１の範囲で、又、第３スピーカＳＰ３の音響出力レベルが１から０の範囲で、それぞれ、連続的に変化する。
【００３７】
尚、上記実施の形態では、第１入力端子を＋側入力端子とし、第２入力端子を−側入力端子としたが、これを逆にする場合もある。又、本発明では、信号ラインを不平衡（アンバランス）タイプとしてもよいが、信号ラインを平衡（バランス）タイプとして、各入力端子をホット側端子やコールド側端子としてもよい。
【００３８】
【発明の効果】
以上詳述したように、本発明によれば、音響ソースの種類や特性、リスナーの好み、オーディオ再生を行う部屋の特性、スピーカのレイアウト等に応じて、ダイレクト方式、ダイポール方式、バイポール方式、ダイレクト方式とダイポール方式の中間方式、ダイレクト方式とバイポール方式の中間方式の何れかの方式を選択できる。
【図面の簡単な説明】
【図１】本発明の実施の形態の一例を示す回路図である。
【図２】図１の可変抵抗器の具体例を示す分解図である。
【図３】図１のスピーカの配置を示す平面図である。
【図４】図１のスピーカからの低音の放射パターン例を示す説明図である。
【図５】図１のスピーカからの高音の放射パターン例を示す説明図である。
【図６】図１のスピーカからの低音の放射パターン例を示す説明図である。
【図７】図１のスピーカからの高音の放射パターン例を示す説明図である。
【図８】図１のスピーカからの低音の放射パターン例を示す説明図である。
【図９】図１のスピーカからの高音の放射パターン例を示す説明図である。
【図１０】図１のスピーカからの低音の放射パターン例を示す説明図である。
【図１１】図１のスピーカからの高音の放射パターン例を示す説明図である。
【図１２】図１のスピーカからの低音の放射パターン例を示す説明図である。
【図１３】図１のスピーカからの高音の放射パターン例を示す説明図である。
【図１４】図１のスピーカの音響出力レベルを示すグラフである。
【図１５】従来一例の低音の放射パターン例を示す説明図である。
【図１６】従来一例の高音の放射パターン例を示す説明図である。
【図１７】従来一例の低音の放射パターン例を示す説明図である。
【図１８】従来一例の高音の放射パターン例を示す説明図である。
【図１９】従来一例の低音の放射パターン例を示す説明図である。
【図２０】従来一例の高音の放射パターン例を示す説明図である。
【符号の説明】
１，２  音響信号入力用＋側・−側入力端子（第１・第２入力端子）
４  リスナー
５〜７  放射軸
Ｄ２Ａ，Ｄ２Ｂ  導体
Ｈ２Ａ，Ｈ２Ｂ  被摺動体
Ｍ１，Ｍ３  中間タップ
Ｒ１，Ｒ２Ａ，Ｒ２Ｂ，Ｒ３  抵抗体
Ｓ１，Ｓ２Ａ，Ｓ２Ｂ，Ｓ３  摺動子
ＳＰ１〜ＳＰ３  第１〜第３スピーカ
ＶＲ１，ＶＲ２Ａ  第１・第３可変抵抗器
ＶＲ２Ａ，ＶＲ２Ｂ  第２Ａ・第２Ｂ可変抵抗器
【図１】
0003885332.tif 000002
【図２】
0003885332.tif 000003
【図３】
0003885332.tif 000004
【図４】
0003885332.tif 000005
【図５】
0003885332.tif 000006
【図６】
0003885332.tif 000007
【図７】
0003885332.tif 000008
【図８】
0003885332.tif 000009
【図９】
0003885332.tif 000010
【図１０】
0003885332.tif 000011
【図１１】
0003885332.tif 000012
【図１２】
0003885332.tif 000013
【図１３】
0003885332.tif 000014
【図１４】
0003885332.tif 000015
【図１５】
0003885332.tif 000016
【図１６】
0003885332.tif 000017
【図１７】
0003885332.tif 000018
【図１８】
0003885332.tif 000019
【図１９】
0003885332.tif 000020
【図２０】
0003885332.tif 000021